(57)【要約】【課題】ユーザの健康状態を、より正確に判断して、適したタイミングで通知する。【解決手段】腕時計型端末１によりユーザの血圧値及び心拍数等の生体情報を収集し、ＭＦＰ２にアップロードする。ＭＦＰ２は、アップロードされた生体情報に基づいて、ユーザのヘルスチェックを行い、ユーザがＭＦＰ２の前に位置しているタイミングで、ヘルスチェック結果を表示する。これにより、ヘルスチェック結果は、ユーザの血圧値及び心拍数等の生体情報を解析して生成される情報であるため、ユーザの健康状態を正確に判断可能とすることができる。また、ヘルスチェック結果を表示するタイミングは、ユーザがＭＦＰ２に近接したタイミングで表示する。これにより、ヘルスチェック結果が他人に見られる不都合を防止でき、ヘルスチェック結果の秘密性を保持した状態でユーザに提供することができる。【選択図】図１
2018156639.tif 000002
【特許請求の範囲】
【請求項１】
携帯端末と、前記携帯端末との間で通信を行う電子機器とを有する情報処理システムであって、
前記携帯端末は、
生体としての動きに基づいて生成される生体情報を取得する生体情報取得部と、
前記生体情報を送信する送信部と、を備え、
前記電子機器は、
前記携帯端末から送信された前記生体情報を受信する受信部と、
受信した前記生体情報に基づいて所定の解析処理を行う解析部と、
前記解析部の解析結果を表示部に表示する場合、前記生体情報の生成元となったユーザが視認可能な所定のタイミングで前記解析結果を表示制御する表示制御部と、を備えること
を特徴とする情報処理システム。
【請求項２】
携帯端末と、前記携帯端末との間で通信を行う電子機器と、前記電子機器との間で通信を行うサーバ装置とを有する情報処理システムであって、
前記携帯端末は、
生体としての動きに基づいて生成される生体情報を取得する生体情報取得部と、
前記生体情報を送信する送信部と、を備え、
前記電子機器は、
前記携帯端末から送信された前記生体情報を受信して、前記サーバ装置に転送し、また、前記サーバ装置から送信された前記生体情報の解析結果を受信する電子機器通信部と、
前記サーバ装置から受信した前記生体情報の解析結果を表示部に表示する場合、前記生体情報の生成元となったユーザが視認可能な所定のタイミングで前記解析結果を表示制御する表示制御部と、を備え、
前記サーバ装置は、
前記電子機器から転送される前記生体情報を受信し、また、前記生体情報の解析結果を前記電子機器に送信するサーバ通信部と、
前記電子機器から受信した前記生体情報に基づいて所定の解析処理を行うサーバ解析部と、を備えること、
を特徴とする情報処理システム。
【請求項３】
前記携帯端末の送信部は、前回送信した前記生体情報が存在する場合、前回送信した前記生体情報と今回送信する前記生体情報との差分となる差分情報を生成して前記電子機器に送信し、
前記電子機器の前記解析部、又は、前記サーバ装置の前記サーバ解析部は、前回解析を行った生体情報に前記差分情報を反映させて今回の生体情報を再生し、再生した生体情報に基づいて所定の解析処理を行うこと
を特徴とする請求項１又は請求項２に記載の情報処理システム。
【請求項４】
前記電子機器の前記解析部、又は、前記サーバ装置の前記サーバ解析部は、受信した前記生体情報と健康体の生体情報との比較結果となる前記解析結果を生成すること
を特徴とする請求項１から請求項３のうち、いずれか一項に記載の情報処理システム。
【請求項５】
前記電子機器の前記解析部、又は、前記サーバ装置の前記サーバ解析部は、過去に受信した複数の生体情報の平均値を算出し、今回受信した前記生体情報が、前記健康体の生体情報以上であり、かつ、前記平均値以上の場合に異常が生じていることを示す解析結果を生成し、今回受信した前記生体情報が少なくとも前記平均値未満の場合に異常は生じていないことを示す解析結果を生成すること
を特徴とする請求項４に記載の情報処理システム。
【請求項６】
前記電子機器の前記解析部、又は、前記サーバ装置の前記サーバ解析部は、過去に受信した複数の生体情報の平均値である基本値を算出すると共に、前記基本値に対する異常値の発生回数を検出し、
前記表示制御部は、前記異常値の発生回数が所定回数以上となった際に、ユーザ毎に指定されたタイミング、かつ、前記生体情報の生成元となったユーザが視認可能な所定のタイミングで前記解析結果を前記表示部に表示制御すること
を特徴とする請求項４に記載の情報処理システム。
【請求項７】
ユーザ毎の年齢、性別、身体的特徴及び病歴を含むユーザ情報が記憶された記憶部を有し、
前記電子機器の前記解析部、又は、前記サーバ装置の前記サーバ解析部は、前記生体情報の解析を行ったユーザの年齢、性別、身体的特徴に近いユーザの病歴に記載されている病気を前記記憶部から検出して前記表示制御部に通知し、
前記表示制御部は、通知された前記病気を示す情報を、前記生体情報の解析結果と共に前記表示部に表示制御すること
を特徴とする請求項１から請求項６のうち、いずれか一項に記載の情報処理システム。
【請求項８】
前記電子機器の前記解析部、又は、前記サーバ装置の前記サーバ解析部は、前記記憶部に前記ユーザ情報として記憶されている各パラメータと、病歴として記憶されている病気との組み合わせを、前記記憶部に前記生体情報が記憶されているユーザ毎に検出し、パラメータと病気との組み合わせが所定数以上となる組み合わせに基づいて、病気の要因及び将来的に患うおそれのある病気を特定して前記表示制御部に通知し、
前記表示制御部は、通知された前記病気を示す情報を、前記生体情報の解析結果と共に前記表示部に表示制御すること
を特徴とする請求項７に記載の情報処理システム。
【請求項９】
前記携帯端末は、腕時計型端末であり、ユーザの腕に装着された際に、ユーザの動脈の振動に基づいて血圧値及び脈拍数を検出し、前記生体情報として前記電子機器に送信すること
を特徴とする請求項１から請求項８のうち、いずれか一項に記載の情報処理システム。
【請求項１０】
前記携帯端末は、携帯表示部と、前記携帯表示部の表示制御を行う携帯表示制御部とを備え、
前記携帯表示制御部は、前記電子機器から受信した前記生体情報の解析結果を前記携帯端末表示部に表示制御すること
を特徴とする請求項１から請求項９に記載の情報処理システム。
【請求項１１】
前記携帯端末及び前記電子機器は、所定の通信回線により連続的又は断続的に接続されており、
前記電子機器は、前記携帯端末との間の距離が所定以下の距離となった際、又は、所定時間毎に、前記所定の通信回線を介して、前記携帯端末から前記生体情報を収集すること
を特徴とする請求項１から請求項１０のうち、いずれか一項に記載の情報処理システム。
【請求項１２】
前記電子機器は、前記携帯端末から収集した前記生体情報を、所定時間毎に、前記サーバ装置に送信すること
を特徴とする請求項２から請求項８のうち、いずれか一項に記載の情報処理システム。
【請求項１３】
前記携帯端末は、前記電子機器から受信した前記生体情報の解析結果が健康状態の異常を示す場合、異常の健康状態を示す解析結果の詳細情報を、予め指定されている電子メールアドレス宛てに送信する解析結果通知部を有すること
を特徴とする請求項１から請求項１２のうち、いずれか一項に記載の情報処理システム。
【請求項１４】
前記電子機器は、所定のタイミングで広告情報、前記広告情報の詳細情報、及び前記広告情報の詳細情報の表示を指定する詳細ボタンを表示するためのボタン情報を、前記携帯端末に送信し、
前記携帯端末の前記携帯表示制御部は、前記広告情報と共に前記詳細ボタンを前記携帯端末表示部に表示制御し、詳細ボタンが操作された際に、前記広告情報の詳細情報を前記携帯端末表示部に表示制御すること
を特徴とする請求項１０から請求項１３のうち、いずれか一項に記載の情報処理システム。
【請求項１５】
携帯端末と、前記携帯端末との間で通信を行う電子機器とを有する情報処理システムにおける情報処理方法であって、
前記携帯端末において、
生体情報取得部が、生体としての動きに基づいて生成される生体情報を取得する生体情報取得ステップと、
送信部が、前記生体情報を送信する送信ステップと、を備え、
前記電子機器において、
受信部が、前記携帯端末から送信された前記生体情報を受信する受信ステップと、
解析部が、受信した前記生体情報に基づいて所定の解析処理を行う解析ステップと、
表示制御部が、前記解析部の解析結果を表示部に表示する場合、前記生体情報の生成元となったユーザが視認可能な所定のタイミングで前記解析結果を表示制御する表示制御ステップと、を備えること
を特徴とする情報処理方法。
【請求項１６】
携帯端末と、前記携帯端末との間で通信を行う電子機器と、前記電子機器との間で通信を行うサーバ装置とを有する情報処理システムにおける情報処理方法であって、
前記携帯端末において、
生体情報取得部が、生体としての動きに基づいて生成される生体情報を取得する生体情報取得ステップと、
送信部が、前記生体情報を送信する送信ステップと、を備え、
前記電子機器において、
電子機器通信部が、前記携帯端末から送信された前記生体情報を受信して、前記サーバ装置に転送し、また、前記サーバ装置から送信された前記生体情報の解析結果を受信する電子機器通信ステップと、
表示制御部が、前記サーバ装置から受信した前記生体情報の解析結果を表示部に表示する場合、前記生体情報の生成元となったユーザが視認可能な所定のタイミングで前記解析結果を表示制御する表示制御ステップと、を備え、
前記サーバ装置において、
サーバ通信部が、前記電子機器から転送される前記生体情報を受信し、また、前記生体情報の解析結果を前記電子機器に送信するサーバ通信ステップと、
サーバ解析部が、前記電子機器から受信した前記生体情報に基づいて所定の解析処理を行うサーバ解析ステップと、を備えること、
を特徴とする情報処理方法。
【請求項１７】
携帯端末から送信された、生体としての動きに基づいて生成される生体情報を受信する受信部と、
受信した前記生体情報に基づいて所定の解析処理を行う解析部と、
前記解析部の解析結果を表示部に表示する場合、前記生体情報の生成元となったユーザが視認可能な所定のタイミングで前記解析結果を表示制御する表示制御部と
を有する電子機器。
【請求項１８】
携帯端末から電子機器に対して、生体としての動きに基づいて生成される生体情報を送信することで、前記電子機器から転送された前記生体情報を受信する受信部と、
前記電子機器から受信した前記生体情報に基づいて所定の解析処理を行うサーバ解析部と、
前記電子機器において、前記生体情報の生成元となったユーザが視認可能な所定のタイミングで表示制御される前記解析処理の解析結果を前記電子機器に送信するサーバ通信部と
を有するサーバ装置。
【請求項１９】
コンピュータを、
携帯端末から送信された、生体としての動きに基づいて生成される生体情報を受信するように受信部を制御する受信制御部と、
受信した前記生体情報に基づいて所定の解析処理を行う解析部と、
前記解析部の解析結果を表示部に表示する場合、前記生体情報の生成元となったユーザが視認可能な所定のタイミングで前記解析結果を表示制御する表示制御部として機能させること
を特徴とする情報処理プログラム。
【請求項２０】
コンピュータを、
携帯端末から電子機器に対して、生体としての動きに基づいて生成される生体情報を送信することで、前記電子機器から転送された前記生体情報を受信するように受信部を制御する受信制御部と、
前記電子機器から受信した前記生体情報に基づいて所定の解析処理を行うサーバ解析部と、
前記電子機器において、前記生体情報の生成元となったユーザが視認可能な所定のタイミングで表示制御される前記解析処理の解析結果を前記電子機器に送信するサーバ通信部として機能させること
を特徴とする情報処理プログラム。
【発明の詳細な説明】
【技術分野】
【０００１】
本発明は、情報処理システム、情報処理方法、電子機器、サーバ装置及び情報処理プログラムに関する。
【背景技術】
【０００２】
近年、腕時計型携帯端末やネックストラップ型携帯端末などウェアラブルデバイスと称される人間個体の生体情報（例えば、脈拍数、血圧、消費カロリなど）を取得し、表示できる携帯端末が登場している。また、企業においては従業員が長時間の過重労働により健康障害を引き起こすような社会問題を意識し、その防止策に取り組むことも多くなっている。
【０００３】
その中で、例えば、特許文献１（特開２００６−２４３９６９号公報）に開示されている健康管理システムのように、健康管理データサーバが、収集した入退場情報及び勤務情報に基づいて、長時間勤務者を抽出し、長時間勤務者の職場従業員端末に、ヘルスチェックを行う旨の指示情報を送信し、収集したヘルスチェック情報を、従業員に対応付けて健康管理データベースに蓄積することにより、健康管理部門端末からの要求に応じて配信する技術によれば、長時間勤務時における従業員の健康状態を把握して、従業員の過重労働による健康障害を防止可能とすることができる。
【発明の概要】
【発明が解決しようとする課題】
【０００４】
しかし、特許文献１に開示されている健康管理システムは、勤務時間に基づいて従業員の健康状態を判断しているため、例えば労働時間が長時間に及ぶ従業員は、全て一律に健康状態に問題があると判断されるという問題がある。
【０００５】
ユーザの健康状態を、より正確に判断できること、さらには、ヘルスチェックの結果は、雇用者側で把握するのみならず、従業員にも通知して自己管理を促すことが好ましい。ただ、ヘルスチェックの結果は、秘密性の高い個人情報であるため、従業員に提供する場合は、適したタイミングで個人的に提供することが好ましい。
【０００６】
本発明は、上述の課題に鑑みてなされたものであり、ユーザの健康状態を、より正確に判断して、適したタイミングで通知可能な情報処理システム、情報処理方法、電子機器、サーバ装置及び情報処理プログラムの提供を目的とする。
【課題を解決するための手段】
【０００７】
上述した課題を解決し、目的を達成するために、本発明は、携帯端末と、携帯端末との間で通信を行う電子機器とを有する情報処理システムであって、携帯端末は、生体としての動きに基づいて生成される生体情報を取得する生体情報取得部と、生体情報を送信する送信部と、を備え、電子機器は、携帯端末から送信された生体情報を受信する受信部と、受信した生体情報に基づいて所定の解析処理を行う解析部と、解析部の解析結果を表示部に表示する場合、生体情報の生成元となったユーザが視認可能な所定のタイミングで解析結果を表示制御する表示制御部とを備える。
【発明の効果】
【０００８】
本発明によれば、ユーザの健康状態を、より正確に判断して、適したタイミングで通知できるという効果を奏する。
【図面の簡単な説明】
【０００９】
【図１】図１は、第１の実施の形態の情報処理システムのシステム構成を示す図である。
【図２】図２は、第１の実施の形態の情報処理システムの腕時計型端末のブロック図である。
【図３】図３は、腕時計型端末のソフトウェア構成を示す機能ブロック図である。
【図４】図４は、第１の実施の形態のＭＦＰのブロック図である。
【図５】図５は、ＭＦＰのソフトウェア構成を説明するための機能ブロック図である。
【図６】図６は、第１の実施の形態の情報処理システムにおける腕時計型端末の動作の流れを示すフローチャートである。
【図７】図７は、第１の実施の形態の情報処理システムにおけるＭＦＰの動作の流れを示すフローチャートである。
【図８】図８は、第１の実施の形態の情報処理システムにおけるＭＦＰに設けられている生体ＤＢに記憶されている生体情報の一例を示す図である。
【図９】図９は、生体ＤＢに記憶されているユーザ情報の一例を示す図である。
【図１０】図１０は、第２の実施の形態の情報処理システムのシステム構成を示す図である。
【図１１】図１１は、第２の実施の形態の情報処理システムに設けられているサーバ装置のブロック図である。
【図１２】図１２は、サーバ装置のソフトウェア構成を示す機能ブロック図である。
【図１３】図１３は、第２の実施の形態の情報処理システムのＭＦＰの動作の流れを示すフローチャートである。
【図１４】図１４は、第２の実施の形態の情報処理システムのサーバ装置の動作の流れを示すフローチャートである。
【図１５】図１５は、第３の実施の形態の情報処理システムに設けられている生体ＤＢに記憶されている生体情報を示す図である。
【図１６】図１６は、第３の実施の形態の情報処理システムに設けられている生体ＤＢに記憶されているユーザ情報を示す図である。
【図１７】図１７は、第４の実施の形態の情報処理システムに設けられている生体ＤＢに記憶されているユーザ情報を示す図である。
【図１８】図１８は、第５の実施の形態の情報処理システムに設けられている腕時計型端末１のブロック図である。
【図１９】図１９は、第５の実施の形態の情報処理システムの各部の動作を説明するためのシーケンス図である。
【図２０】図２０は、第５の実施の形態の情報処理システムにおける表示画像の一例を示す図である。
【発明を実施するための形態】
【００１０】
以下、一例として携帯端末で計測された生体情報を複合機（ＭＦＰ：Multifunction  Peripheral）で受信して解析し、この解析結果を敵したタイミングでユーザに提供する情報処理システムを説明する。
【００１１】
（第１の実施の形態）
（システム構成）
図１は、第１の実施の形態の情報処理システムのシステム構成図である。この図１に示すように、第１の実施の形態の情報処理システムは、腕時計型端末１と、ＭＦＰ２と、無線ＬＡＮ（Local  Area  Network）のアクセスポイント装置３とを有している。腕時計型端末１は、携帯端末の一例である。ＭＦＰ２は、電子機器の一例である。腕時計型端末１及びＭＦＰ２は、それぞれ複数設けてもよい。
【００１２】
一例ではあるが、腕時計型端末１及びＭＦＰ２は、ＢＬＥ（Bluetooth（登録商標）  Low  Energy）による直接通信、及び、無線ＬＡＮのアクセスポイント装置３を介したＬＡＮ通信が可能となっている。腕時計型端末１と無線ＬＡＮのアクセスポイント装置３との間は、ＩＥＥＥ（Institute  of  Electrical  and  Electronics  Engineers）８０２．１１ｂ等のＷｉ−Ｆｉ（登録商標）規格に準拠した無線通信を行う。また、ＭＦＰ２と無線ＬＡＮのアクセスポイント装置３は、イーサネット（登録商標）に接続されており、ＩＥＥＥ８０２．３規格に準拠した通信プロトコルを使用した通信を行う。
【００１３】
（腕時計型端末のハードウェア構成）
図２に、腕時計型端末１のハードウェア構成を示すブロック図である。この図２に示すように腕時計型端末１は、操作部９．中央演算部（ＣＰＵ）１０、メインメモリ１２、フラッシュメモリ１３、第１の通信部１４、第２の通信部１６、表示部１８及び生体測定部１９を有している。
【００１４】
ＣＰＵ１０は、フラッシュメモリ１３に記憶されたＯＳ（Operating  System）を実行する。また、ＣＰＵ１０は、後述のように情報処理プログラムを実行することで、例えば血圧値、脈拍数、歩行歩数等の、ユーザの生体としての動きに基づいて生成される生体情報を定期的又はランダムな時刻に計測し、ＭＦＰ２に送信制御する。メインメモリ１２はとしては、例えばＤＲＡＭ（Dynamic  Random  Access  Memory）が設けられている。メインメモリ１２は、ＣＰＵ１０のワークエリアとして使用され、また、ＭＦＰ２に送信する生体情報等を一時的に記憶する。フラッシュメモリ１３は、電源オン時のシステム立ち上げ、腕時計型端末１の機能を実現するための各種プログラム、及び各種情報処理に必要なデータを記憶する。
【００１５】
第１の通信部１４は、ＢＬＥ通信を行う通信部となっており、ＢＬＥ規格に準拠した無線通信プロトコルに基づいて、アンテナ１５を介してＭＦＰ２との間の無線通信を行う。第２の通信部１６は、Ｗｉ−Ｆｉ（登録商標）通信を行う通信部となっており、例えばＩＥＥＥ８０２．１１ｂ規格に準拠した無線通信プロトコルに基づいて、アンテナ１７を介して無線ＬＡＮのアクセスポイント装置３との間で無線通信を行う。
【００１６】
表示部１８は、例えばＬＣＤ（Liquid  Crystal  Display）又は有機ＥＬ（Electro-Luminescence）等を有しており、計測された生体情報及び所定のメッセージ等を表示する。生体測定部１９は、腕時計型端末１をユーザの手首に装着した際に、動脈上に位置するように設けられた圧力センサ、圧力センサを加圧して動脈に押し当てる加圧機構、及び、加速度センサを有している。また、腕時計型端末１は、圧力センサで検出される動脈の振動に基づいて、ユーザの最高血圧、最低血圧、及び、脈拍数を演算する測定制御部（図３の符号５１）を有している。また、測定制御部は、加速度センサのセンサ出力に基づいて、ユーザが歩いた歩数を演算し、また、ユーザが歩いた歩数に対応する運動量（多中少、消費カロリー等）を演算する。
【００１７】
なお、腕時計型端末１は、通常時は、腕時計として機能しており、現在時刻等を表示するようになっている。また、腕時計型端末１は、ユーザから指定された際、又は、ＭＦＰ２から指定された際に、ユーザの生体情報を測定し、ＭＦＰ２に送信する。
【００１８】
（腕時計型端末のソフトウェア構成）
図３に、腕時計型端末１のソフトウェア構成となる機能ブロック図を示す。図２に示したＣＰＵ１０は、フラッシュメモリ１３に記憶されている情報処理プログラムを実行することで、図３に示す各機能を実現する。具体的には、ＣＰＵ１０は、情報処理プログラムを実行することで、ＢＬＥ通信を行う第１の通信制御部５０（送信部の一例）、及び、上述の圧力センサで検出される動脈の振動に基づいて、ユーザの最高血圧、最低血圧、及び、脈拍数を演算する測定制御部５１（生体情報取得部の一例）の各機能を実現する。
【００１９】
また、ＣＰＵ１０は、測定制御部５１として機能することで、加速度センサのセンサ出力に基づいて、ユーザが歩いた歩数を演算し、また、ユーザが歩いた歩数に対応する運動量（消費カロリー等）を演算する。また、ＣＰＵ１０は、情報処理プログラムを実行することで、Ｗｉ−Ｆｉ（登録商標）通信を行う第２の通信部５２、及び、表示部１８に対して計測された生体情報及び所定のメッセージ等を表示する表示制御部５３の各機能を実現する。
【００２０】
また、操作部９は、ソフトウェアキー又はハードウェアキーとなっている。ユーザは、操作部９を接触操作又は押し下げ操作することで、腕時計型端末１に対して生体情報の計測動作、及び、計測した生体情報の送信動作等を指示するようになっている。ＣＰＵ１０は、情報処理プログラムを実行することで、操作部９を介して行われたこのようなユーザの入力操作を処理する操作処理部５４を実現する。また、ＣＰＵ１０は、情報処理プログラムを実行することで、計測した生体情報をメインメモリ１２又はフラッシュメモリ１３に記憶制御する記憶制御部５５を実現する。
【００２１】
なお、この例では、第１の通信制御部５０〜記憶制御部５５をソフトウェアで実現することとしたが、第１の通信制御部５０〜記憶制御部５５のうち、一部又は全部を、ＩＣ（Integrated  Circuit）等のハードウェアで実現してもよい。
【００２２】
また、第１の通信制御部５０〜記憶制御部５５の各機能をＣＰＵ１０に実現させる情報処理プログラムは、インストール可能な形式または実行可能な形式のファイルでＣＤ−ＲＯＭ、フレキシブルディスク（ＦＤ）などのコンピュータ装置で読み取り可能な記録媒体に記録して提供してもよい。また、ＣＤ−Ｒ、ＤＶＤ（Digital  Versatile  Disk）、ブルーレイディスク（登録商標）、半導体メモリなどのコンピュータ装置で読み取り可能な記録媒体に記録して提供してもよい。また、情報処理プログラムは、インターネット等のネットワーク経由でインストールするかたちで提供してもよい。また、情報処理プログラムは、は、機器内のＲＯＭ等に予め組み込んで提供してもよい。
【００２３】
（ＭＦＰのハードウェア構成）
次に、図４は、ＭＦＰ２のハードウェア構成を示すブロック図である。この図４に示すように、ＭＦＰ２は、ＣＰＵ６０、メインメモリ６１、フラッシュメモリ６２、バスコントローラ６４、ＰＣＩ（Peripheral  Component  Interconnect）ブリッジ６５、キャッシュメモリ６６、スキャナ部７０及びプリント部７２を有している。また、ＭＦＰ２は、ハードディスクドライブ７４、有線ＬＡＮ通信部７５、ＬＡＮインタフェース（ＬＡＮＩ／Ｆ）７６、第１の通信部７７、第２の通信部８７、ハードキー８０、タッチパネル８２、及び、ＲＴＣ（Real  Time  Clock）８３を有している。さらに、ＭＦＰ２は、リーダライタ８９を有している。リーダライタ８９は、ＩＣカード１００に記憶されている社員情報、ユーザ名、所属部署等の認証情報の読み取り等を行う。
【００２４】
ＣＰＵ６０は、フラッシュメモリ６２等の記憶部に記憶されたＯＳを実行し、所定の情報処理を行う。また、ＣＰＵ６０は、フラッシュメモリ６２に記憶された情報処理プログラムを実行することで、腕時計型端末１から取得した生体情報に基づいてユーザのヘルスチェックを行い、チェック結果を所定のタイミングでユーザに通知する。
【００２５】
ＭＦＰ２のメインメモリ６１としては、例えばＤＲＡＭが設けられており、ＣＰＵ６０のワークエリア等で使用される。フラッシュメモリ６２は、電源を切ってもデータが消去されない不揮発性メモリとなっており、電源オン時のシステム立ち上げ、及び、ＭＦＰ２の機能を実現するための各種プログラムが記憶されている。また、フラッシュメモリ６２には、プログラムの実行時に参照されるスイッチ及びパラメータ等のデータも記憶されている。
【００２６】
バスコントローラ６４は、ＣＰＵバス８４とバス８６でのデータ転送を制御する。ＰＣＩブリッジ６５は、キャッシュメモリ６６を使用して、ＰＣＩバス８５とＣＰＵ６０との間のデータ転送を行う。例えばＤＲＡＭであるキャッシュメモリ６６は、ＰＣＩブリッジ６５により使用される。スキャナ部７０は、例えば１次元配列されたＬＥＤ（Light  Emitting  Diode）アレイを光源として、カラーＣＣＤラインセンサにより紙面画像を読み取る。そして、カラーＣＣＤ（Charge  Coupled  Device）ラインセンサから出力されるＲ（赤）、Ｇ（緑）、Ｂ（青）の各アナログ画像信号をデジタル化した画像データを生成する。また、スキャナ部７０は、ＲＧＢの各画像データに基づいて、色差成分（Ｃｂ，Ｃｒ）の画像データ及び輝度成分（Ｙ）の画像データを生成し、例えばＪＰＥＧ（Joint  Photographic  Experts  Group）に準拠した圧縮（符号化）処理を施した画像データを生成する。
【００２７】
プリント部７２は、シアン、マゼンタ、イエロー、ブラックのトナーを使用して、紙面にカラー画像又はモノクロ画像をプリントする。ＨＤＤ７４は、スキャナ７０から入力された画像データ又はネットワーク（イーサネット（登録商標））を介して受信した画像データ等を記憶する。
【００２８】
有線ＬＡＮ通信部７５は、例えばＩＥＥＥ８０２．３規格に準拠した通信プロトコルを実行し、イーサネット（登録商標）に接続された他の機器との通信を、ＬＡＮＩ／Ｆ７６を介して制御する。第１の通信部７７は、ＢＬＥ通信部となっており、ＢＬＥ規格に準拠した無線通信プロトコルを実行して、アンテナ７８を介して他の機器との無線通信を行う。第２の通信部８７は、Ｗｉ−Ｆｉ（登録商標）通信部となっており、例えばＩＥＥＥ８０２．１１ｂ規格に準拠した無線通信プロトコルを実行して、アンテナ８８を介して他の機器との無線通信を行う。
【００２９】
ハードキー８０は、ＭＦＰ２の操作部又は筐体等に物理的に設けられた入力ボタンである。一例ではあるが、タッチパネル８２は、ＬＣＤ表示部上に透明電極等で形成された透明電導膜を張り合わせた静電容量方式のタッチパネルとなっている。タッチパネル８２には、ＣＰＵ６０により、例えばユーザがＭＦＰ２に対してログインしたタイミング、又は、出退勤のタイミング等で、ユーザのヘルスチェックの結果が表示される。ＲＴＣ８３は、日付時計となっており、図示していないバッテリーによりバックアップされ、現在時刻を計時する。
【００３０】
（ＭＦＰのソフトウェア構成）
図５は、ＭＦＰ２のソフトウェア構成を示す機能ブロック図である。ＭＦＰ２のＣＰＵ６０は、フラッシュメモリ６２に記憶された情報処理プログラムを実行することで、第１の通信制御部９０（受信部の一例）、入力処理部９１、有線ＬＡＮ通信制御部９２（電子機器通信部の一例）、表示制御部９３、解析部９４、ユーザ認証部９５、記憶制御部９６、及び、第２の通信制御部９７を実現する。
【００３１】
第１の通信制御部９０は、ＢＬＥ通信制御部となっており、図６に示す第１の通信部７７のＢＬＥ通信を制御する。入力処理部９１は、タッチパネル８２の接触操作位置を検出する。有線ＬＡＮ通信制御部９２は、有線ＬＡＮ通信部７５における、ＩＥＥＥ８０２．３規格に準拠した通信プロトコルを実行制御する。解析部９４は、ユーザの腕時計型端末１から取得した生体情報と、健康体の生体情報とを比較することでヘルスチェック（解析処理）を行う。表示制御部９３は、解析部９４のヘルスチェック結果（解析結果）を、ユーザがＭＦＰ２にログインしたタイミング等の所定のタイミングでタッチパネル８２に表示制御する。
【００３２】
記憶制御部９６は、メインメモリ６１、フラッシュメモリ６２又はＨＤＤ７４等の記憶部に対して各ユーザの腕時計型端末１から受信した生体情報等を記憶制御する。第２の通信制御部９７は、例えばＩＥＥＥ８０２．１１ｂ規格に準拠した無線通信プロトコルを実行して、Ｗｉ−Ｆｉ（登録商標）通信を行う第２の通信部８７を通信制御する。
【００３３】
（腕時計型端末における生体情報の検出動作及び送信動作）
次に、腕時計型端末１でユーザの生体情報を検出してＭＦＰ２に送信する動作を、図６のフローチャートを用いて説明する。まず、ユーザは、生体情報の検出の前に、ユーザ情報を腕時計型端末１及びＭＦＰ２に登録する。具体的には、腕時計型端末１において、最初に情報処理プログラムを起動したタイミングで、図２に示す腕時計型端末１の表示制御部５３は、例えばユーザ名、年齢、性別、身長、体重、所属部署、病歴等のユーザ情報の入力画面を表示する。
【００３４】
ユーザにより、操作部９を介してユーザ情報の入力が行われると、記憶制御部９６は、フラッシュメモリ１２等の記憶部に、入力されたユーザ情報を記憶制御する。また、第１の通信制御部９０は、ＭＦＰ２との間にＢＬＥ通信回線を確立し、ユーザから入力されたユーザ情報を、ＭＦＰ２にＢＬＥ送信する。ＭＦＰ２の記憶制御部９６は、ユーザの腕時計型端末１から受信したユーザ情報を、フラッシュメモリ６２等の記憶部に記憶されている生体情報データベース（生体ＤＢ）に記憶制御する。これにより、ＭＦＰ２の生体ＤＢには、各ユーザのユーザ情報が一覧的に記憶される。図６のフローチャートのステップＳ１では、腕時計型端末１及びＭＦＰ２に対して、このようなユーザ情報の登録が完了しているか否かを、表示制御部５３が判別する。そして、ユーザ情報の登録が完了していると判別された際に（ステップＳ１：Ｙｅｓ）、ステップＳ２に処理が進む。
【００３５】
ユーザは、例えば朝の出社時又は昼休み時等の所定の時刻となると、腕時計型端末１の操作部９を操作して、生体情報の取得指示を行う。ステップＳ２では、操作処理部５４が、このような生体情報の取得指示を検出したか否かを判別する。そして、操作処理部５４により、生体情報の取得指示が検出されたタイミングで、処理がステップＳ３に進む。
【００３６】
ステップＳ３では、測定制御部５１が、ユーザの生体情報を取得して、フラッシュメモリ１２等の記憶部に記憶する。具体的には、腕時計型端末１がユーザの腕に正しく装着されると、圧力センサはユーザの動脈上に位置するようになっている。この状態で、測定制御部５１は、加圧された圧力センサが動脈に押し当てられるように加圧機構を制御する。圧力センサは、加圧時の所定時間における動脈の振動数を検出する。測定制御部５１は、圧力センサにより検出された動脈の振動数に基づいて、ユーザの最高血圧、最低血圧、及び、脈拍数を演算する。記憶制御部５５は、算出された最高血圧値、最低血圧値、及び、脈拍数の値を、算出した日付及び時刻を示す日時情報と共に、フラッシュメモリ１２等の記憶部に記憶する。
【００３７】
また、腕時計型端末１に設けられている加速度センサは、ユーザが歩く毎にセンサ出力を出力する。測定制御部５１は、ユーザにより操作部９を介して行われるリセット操作以降に加速度センサから出力されるセンサ出力数を積算する。これにより、リセット操作以降、ユーザが歩いた歩数が積算されることとなる。測定制御部５１は、生体情報の取得指示が検出された際に、積算したセンサ出力数を取得する。記憶制御部５５は、取得されたセンサ出力数を、生体情報の取得指示がされた際におけるユーザが歩いた歩数を示す歩数情報として、上述の血圧値等と共に記憶部に記憶する。
【００３８】
また、測定制御部５１は、生体情報の取得指示が検出された際にセンサ出力数を取得すると、所定の閾値との比較結果に基づいてユーザの運動量を判定すると共に、身長、体重及び歩数に基づいて消費カロリーを算出する。すなわち、測定制御部５１は、第１の閾値及び第２の閾値を有しており（第１の閾値＞第２の閾値）、センサ出力数が第１の閾値以上の場合は、運動量を「多」と判定し、センサ出力数が第１の閾値未満かつ第２の閾値以上の場合は、運動量を「中」と判定し、センサ出力数が第２の閾値未満の場合は、運動量を「少」と判定する。また、測定制御部５１は、ユーザの「体重」及びセンサ出力数（＝歩数）に基づいて、リセット操作から生体情報の取得指示が検出されたまでの間の消費カロリーを算出する。記憶制御部５５は、このように算出された運動量を示す運動量情報及び消費カロリー情報を、フラッシュメモリ１３等の記憶部に記憶する。
【００３９】
このような各情報が記憶部に記憶されると、腕時計型端末１の表示制御部５３は、表示部１８に対して、例えば「生体情報を送信しますか？」等の生体情報の送信の有無を問うメッセージを表示する。ユーザは、操作部９を操作して、生体情報の送信又は非送信を指示する。図６のフローチャートのステップＳ４では、操作処理部５４が、ユーザから生体情報の送信指示がされたか否かを判別する。操作処理部５４で生体情報の送信指示が検出されると（ステップＳ４：Ｙｅｓ）、第１の通信制御部５０は、ステップＳ５において、ＭＦＰ２との間でＢＬＥ通信回線を確立する。
【００４０】
ここで、測定制御部５１は、ステップＳ６において、前回、ＭＦＰ２に送信した血圧値、運動量情報及び消費カロリー情報等の生体情報が、記憶部に記憶されているか否かを判別する。前回、ＭＦＰ２に送信した生体情報が記憶部に記憶されていないと判別された場合、すなわち、ＭＦＰ２に対して生体情報を最初に送信する場合は（ステップＳ６：Ｎｏ）、第１の通信制御部５０は、ステップＳ８において、記憶部に記憶されている血圧値、運動量情報及び消費カロリー情報等の生体情報を、ＢＬＥ通信によりＭＦＰ２に送信する。これにより、図６のフローチャートの全処理が終了となる。
【００４１】
これに対して、前回、ＭＦＰ２に送信した生体情報が記憶部に記憶されていると判別された場合（ステップＳ６：Ｙｅｓ）、測定制御部５１は、ステップＳ７において、前回送信した生体情報と、今回送信する生体情報の差分を算出する。すなわち、測定制御部５１は、前回の血圧値と今回の血圧値との差分、前回の消費カロリーと今回の消費カロリーとの差分等を算出する。そして、この差分情報を今回の生体情報として、第１の通信制御部５０が、ステップＳ８において、ＢＬＥ通信によりＭＦＰ２に送信して、図６のフローチャートの全処理を終了する。前回の生体情報と今回の生体情報との差分を送信することで、送信するデータ量を少なくすることができ、通信の高速化、必要とする記憶容量の削減等を図ることができる。
【００４２】
（ＭＦＰにおける生体情報の解析動作）
次に、腕時計型端末１から受信した生体情報の解析を行うＭＦＰ２の動作を、図７のフローチャートを用いて説明する。まず、ステップＳ１１では、図５に示す第１の通信制御部９０が、ウェアラブルデバイスの一例である腕時計型端末１から生体情報を受信したか否かを判別する。生体情報を受信したタイミングで（ステップＳ１１：Ｙｅｓ）、処理がステップＳ１２に進む。
【００４３】
ステップＳ１２では、記憶制御部９６が、腕時計型端末１から受信した生体情報を、フラッシュメモリ６２等の記憶部に記憶されている生体情報データベース（生体ＤＢ）に記憶制御する。そして、解析部９４が、腕時計型端末１から取得した生体情報と、健康体の生体情報とを比較することでヘルスチェックを行う。
【００４４】
具体的には、解析部９４は、腕時計型端末１から、前回の差分の状態の生体情報を受信した場合、前回の生体情報に差分情報を反映させることで、今回の生体情報（フルデータ）を再生し、健康体の生体情報と比較処理する。また、解析部９４は、腕時計型端末１から、差分情報ではなくフルデータの状態で生体情報を受信した場合（生体情報の初回計測時）、このフルデータの状態で受信した生体情報と、健康体の生体情報とを比較処理する。
【００４５】
そして、解析部９４は、ステップＳ１３において、異常値の有無を判別する。一例ではあるが、解析部９４は、腕時計型端末１から受信した生体情報と健康体の生体情報とを比較処理した結果、心拍数が１分間に１００拍以上の場合に異常と見なす。また、解析部９４は、最高血圧値が１３５ｍｍＨｇ以上の場合に異常と見なす。また、解析部９４は、最高血圧値が８５ｍｍＨｇ以上の場合に異常と見なす。また、解析部９４は、心拍数及び血圧値に基づいてストレスの有無を判別する。すなわち、解析部９４は、心拍数及び血圧値が共に上昇している場合はストレス有りと判別し、これ以外の場合はストレス無と判別する。記憶制御部５５は、解析部９４により判別されたストレスの有無を示す情報を、生体情報の一部として生体ＤＢに記憶制御する。
【００４６】
次に、このようなヘルスチェックで異常値が検出された場合（ステップＳ１３：Ｙｅｓ）、処理がステップＳ１４に進み、表示制御部９３が、以下に説明するタイミングで、ユーザに対して異常通知を行い、図７のフローチャートの全処理を終了する。なお、表示制御部９３は、健康異常が生じていることを示すアイコンを付加して異常通知を行う。このアイコンにより、ユーザは、一目で健康異常を認識することができる。
【００４７】
これに対して、ヘルスチェックで異常値が検出されなかった場合（ステップＳ１３：Ｎｏ）、処理がステップＳ１５に進み、表示制御部９３が、以下に説明するタイミングで、ユーザに対して正常通知を行い、図７のフローチャートの全処理を終了する。
【００４８】
ここで、異常通知又は通常通知のようなヘルスチェック結果は、秘密性の高い個人情報である。このため、表示制御部９３は、生体情報の生成元となったユーザが視認可能な所定のタイミングで（ユーザが見得るタイミングで）、ヘルスチェック結果をタッチパネル８２に表示することが好ましい。一例ではあるが、ＭＦＰ２は、正規のユーザのみがコピー機能又はスキャナ機能等を使用可能となっている。ＭＦＰ２を使用するユーザは、図４に示すＩＣカード１００をリーダライタ８９に近接させてユーザ認証を行う。リーダライタ８９は、ＩＣカード１００からユーザ名及び社員番号等のユーザ認証に必要な情報の読み取りを行う。
【００４９】
図５に示すユーザ認証部９５は、ＩＣカード１００から読み出されたユーザ名及び社員番号に基づいて、生体ＤＢを参照することで、ユーザ認証処理を行う。表示制御部９３は、ユーザ認証部９５により、生体ＤＢに登録されている正規のユーザであることが認証された際に、ヘルスチェック結果をタッチパネル８２に表示する。これにより、ユーザがＭＦＰ２のカードリーダ８９に対して自分のＩＣカード１００を近接操作することで、ユーザがＭＦＰ２の前に位置しているタイミングで、ＭＦＰ２のタッチパネル８２に、そのユーザのヘルスチェック結果を表示することができる。このため、ヘルスチェック結果が他人に知られる不都合を防止でき、秘密性を保持した状態でユーザに提供することができる。
【００５０】
なお、表示制御部９３は、正規のユーザであることを示すユーザ認証が行われるたびに、そのユーザのヘルスチェック結果を表示する。このため、ＩＣカード１００をリーダライタ８９に近接させてユーザ認証を行うたびに、ユーザは、自分のヘルスチェック結果を確認できる。このため、ユーザは、ＭＦＰ２の使用時のみならず、出社時及び退社時等の所望のタイミングでＩＣカード１００をリーダライタ８９に近接させてユーザ認証を行うことで、所望のタイミングで自分のヘルスチェック結果を確認できる。
【００５１】
また、この例では、ＩＣカード１００でユーザ認証できた場合に、ＭＦＰ２は、そのユーザのヘルスチェック結果を表示することとした。しかし、ユーザによりタッチパネル８２を介して入力されたユーザ名及びパスワード等の所定の情報に基づいてユーザ認証処理を行い、正規のユーザに対してヘルスチェック結果を表示してもよい。
【００５２】
また、管理者等が、ＭＦＰ２のタッチパネル８２を操作して管理者コードを入力し、ヘルスチェック結果の表示を指定した際に、ＭＦＰ２のユーザ認証部９５が、入力された管理者コードに基づいて、ユーザ認証処理を行う。そして、正規の管理者であることが認証された際に、表示制御部９３が、各ユーザのヘルスチェック結果の一覧画面をタッチパネル８２に表示する。これにより、管理者は、所望のタイミングで各ユーザのヘルスチェック結果を確認できる。
【００５３】
或いは、管理者等は、パーソナルコンピュータ装置のＷｅｂブラウザを介してＭＦＰ２のＷｅｂブラウザにアクセスし、管理者コードを入力したうえで、ヘルスチェック結果の表示を指定する。ＭＦＰ２の記憶制御部５５は、ユーザ認証部９５で正規の管理者であることが認証されると、生体ＤＢから各ユーザのヘルスチェック結果を読み出す。有線ＬＡＮ通信制御部９２は、読み出されたヘルスチェック結果を、有線ＬＡＮを介して、パーソナルコンピュータ装置のＷｅｂブラウザに送信する。これにより、管理者は、パーソナルコンピュータ装置を介して、ＭＦＰ２に記憶されている各ユーザのヘルスチェック結果を閲覧できる。
【００５４】
図８に、生体ＤＢに記憶されている生体情報の一例を、図９に、生体ＤＢに記憶されているユーザ情報の一例を示す。まず、図８からわかるように、各ユーザの腕時計型端末１から受信される生体情報は、ユーザ毎及び日付毎に生体ＤＢに記憶される。図８は、ユーザＡ及びユーザＢの２０１７年１月１０日〜２０１７年１月１３日における最高血圧値、最低血圧値、心拍数及びストレスの有無が記憶された例を示している。すなわち、図８の例は、１日１回、所定時刻に腕時計型端末１でユーザの生体情報を計測する例である。表示制御部９３は、最初に当日のヘルスチェック結果をタッチパネル８２に表示し、ユーザにより日付の指定操作がされた場合、この指定された日付のヘルスチェック結果をタッチパネル８２に表示する。
【００５５】
（個人差に対応した通知動作）
ここで、血圧値及び心拍数等は、ある程度の個人差がある。このため、解析部９４は、図８に示すように、ユーザ毎に生体情報の履歴を残しておき、血圧値及び心拍数等の生体情報の平均値を算出する。そして、解析部９４は、今回の生体情報を、健康体の生体情報及び算出した平均値と比較する。解析部９４は、今回の生体情報の値が、健康体の生体情報の値未満、又は、算出した平均値未満である場合は、異常は生じていないことを示す解析結果を生成する。また、解析部９４は、今回の生体情報の値が、健康体の生体情報の値以上であり、かつ、算出した平均値以上である場合は、異常が生じていることを示す解析結果を生成する。
【００５６】
表示制御部９３は、異常が生じていないことを示す解析結果が得られた場合、「異常無し」の通知を行うが、異常が生じていることを示す解析結果が得られた場合、例えば緊急を意味する文字色でメッセージ等を表示し、また、緊急を意味するアイコンを付加して異常通知を行う。これにより、ユーザは、健康異常が生じていることを認識することができ、休憩、通院、又は帰宅等の適切な処置をとることができる。
【００５７】
また、異常が生じていることを示す解析結果が得られた場合、有線ＬＡＮ通信制御部９２又は第２の通信制御部９７等の通信部は、管理者に対して、異常通知が行われたユーザを示す情報を通知する。これにより、管理者は、異常通知が行われたユーザに対して休憩、通院、又は帰宅を促す等、適切な処置をとることができる。
【００５８】
（予測される病気の注意喚起動作）
一方、図９は、生体ＤＢに記憶されているユーザ情報の一例を示す図である。なお、図８に示す生体情報と、図９に示すユーザ情報は、互いに関連付けされて、ＣＰＵ６０により管理されている。図９に示すユーザ情報は、上述のように腕時計型端末１の情報処理プログラムを最初に起動したタイミングでユーザにより入力された情報、ユーザの身長及び体重に基づいて、図３に示す測定制御部５１により算出された体脂肪率、及び、ユーザの腕時計型端末１の加速度センサのセンサ出力に基づいて算出された運動量を示す情報となっている。一例ではあるが、図９の例の場合、ユーザＡに対しては、年齢：３８才、性別：男性、身長：１７０ｃｍ、体重６５ｋｇ、体脂肪率：２２％、運動量：少、所属部署：経理部、病歴：十二指腸潰瘍等のユーザ情報が記憶されている。同様に、ユーザＣ対しては、年齢：２８才、性別：女性、身長：１５８ｃｍ、体重：４２ｋｇ、体脂肪率：２０％、運動量：多、所属部署：営業部、病歴：無等のユーザ情報が記憶されている。換言すると、生成ＤＢには、ユーザ毎の年齢、性別及び身体的特徴を示すユーザ情報が記憶されている。
【００５９】
ＭＦＰ２の解析部９４は、生体情報の解析を行ったユーザのユーザ情報と、生体ＤＢに記憶されている各ユーザのユーザ情報とを照合し、生体情報の解析を行ったユーザに対して、同じ性別で年齢及び身体的特徴が近いユーザを検出する。そして、解析部９４は、検出したユーザの病歴に記載されている病気を示す情報を表示制御部９３に通知する。なお、ここでいう「病気」の概念は、心又は体に不調又は不都合が生じた状態の他、症候群、疾病、疾患、骨折等も含む広義の概念である。表示制御部９３は、解析部９４から通知された病気を示す情報を、生体情報の測定を行ったユーザに対してヘルスチェック結果と共に提供する。または、表示制御部９３は、解析部９４から通知された病気の予防を促すメッセージ等を生成し、生体情報の測定を行ったユーザに対してヘルスチェック結果と共に提供する。
【００６０】
例えば、解析部９４により、生体情報の測定を行ったユーザに対して、同じ性別で年齢及び身体的特徴が近いユーザとして図９に示すユーザＤが検出され、このユーザＤの病歴として高血圧及び高血糖が記載されていたとする。この場合、解析部９４から表示制御部９３に、高血圧及び高血糖を示す情報が通知される。表示制御部９３は、解析結果と共に、将来的に発病するおそれがある病気として高血圧及び高血糖を示す表示を行う。または。表示制御部９３は、例えば「同じ年代で同じ体格のユーザに、高血圧及び高血糖の発病が見られます。塩分を控え、適度な運動を心がけましょう。」等の病気の予防を促すメッセージを生成し、生体情報の測定を行ったユーザに対してヘルスチェック結果と共に提供する。これにより、ユーザは、ヘルスチェック結果と共に、将来的に発病するおそれのある病気を認識することができ、予防に努めることができる。
【００６１】
（第１の実施の形態の効果）
以上の説明から明らかなように、第１の実施の形態の情報処理システムは、腕時計型端末１によりユーザの血圧値及び心拍数等の生体情報を収集し、ＭＦＰ２にアップロードする。ＭＦＰ２は、アップロードされた生体情報に基づいて、ユーザのヘルスチェックを行い、ユーザがＭＦＰ２の前に位置しているタイミングで、ヘルスチェック結果を表示する。これにより、ヘルスチェック結果は、ユーザの血圧値及び心拍数等の生体情報を解析して生成される情報であるため、ユーザの健康状態を正確に判断可能とすることができる。
【００６２】
また、ヘルスチェック結果を表示するタイミングは、ユーザがＭＦＰ２に近接したタイミングで表示する。これにより、ヘルスチェック結果が他人に見られる不都合を防止でき、ヘルスチェック結果の秘密性を保持した状態でユーザに提供することができる。
【００６３】
また、生体情報の履歴に基づいて生体情報の平均値を算出する。そして、現在の生体情報が、健康体の生体情報と比較して異常値を示し、なおかつ、算出した平均値と比較しても異常値を示す場合、通常の異常通知よりも重要度の高いことを意味する異常通知を行う。これにより、生体情報の個人差に対応した通知を行うことができる。
【００６４】
また、年齢、体格及び病歴を示すユーザ情報をユーザ毎に記憶しておき、ヘルスチェック結果を提供する際に、年齢及び体格が似ているユーザの病歴に記載されている病気の予防を促す通知を行う。これにより、各ユーザが将来的に発病するおそれのある病気に対する注意を喚起することができ、病気の予防を可能とすることができる。
【００６５】
（第２の実施の形態）
次に、第２の実施の形態の情報処理システムの説明をする。第１の実施の形態は、ＭＦＰ２側で生体情報の収集及び解析を行う例であった。これに対して、第２の実施の形態は、ＭＦＰ２がサーバ装置に対して生体情報を転送し、サーバ装置が、生体情報の収集及び解析を行い、ヘルスチェック結果をＭＦＰ２に送信して表示する例である。なお、第１の実施の形態と第２の実施の形態とでは、この点のみが異なる。このため、以下、両者の差異の説明のみ行い、重複説明は省略する。
【００６６】
（システム構成）
図１０は、第２の実施の形態の情報処理システムのシステム構成図である。この図２に示すように、第２の実施の形態の情報処理システムの場合、腕時計型端末１、ＭＦＰ２、アクセスポイント装置３と共に、イーサネット（登録商標）に接続されたサーバ装置４を有している。
【００６７】
図１１は、サーバ装置４のハードウェア構成を示すブロック図である。この図１１に示すように、サーバ装置４は、ＣＰＵ１１０、メインメモリ１１１、フラッシュメモリ１１２、及び、有線ＬＡＮ通信部１１３を有している。メインメモリ１１１又はフラッシュメモリ１１２等の記憶部には、ＯＳの他、上述の生体情報の収集及び解析を行うための情報処理プログラムが記憶されている。また、メインメモリ１１１又はフラッシュメモリ１１２等の記憶部には、図８に示した各ユーザの生体情報、及び、図９に示した各ユーザのユーザ情報が記憶される生体ＤＢが記憶されている。
【００６８】
図１２は、サーバ装置４のＣＰＵ１１０が情報処理プログラムを実行することで実現する各機能の機能ブロック図である。この図１２に示すように、ＣＰＵ１１０が情報処理プログラムを実行することで、有線ＬＡＮ通信制御部１２１（サーバ通信部の一例）、解析部１２２（サーバ解析部の一例）、及び、記憶制御部１１０として機能する。なお、ソフトウェア的に実現されることとした有線ＬＡＮ通信制御部１２１〜記憶制御部１１０のうち、一部又は全部は、ハードウェアで実現してもよいこと等は、上述のとおりである。
【００６９】
（ＭＦＰの動作）
図１３は、第２の実施の形態におけるＭＦＰ２の動作を示すフローチャートである。このフローチャートにおいて、ステップＳ２１では、図５に示す第１の通信制御部９０が、ウェアラブルデバイスの一例である腕時計型端末１から生体情報を受信したか否かを判別する。腕時計型端末１から生体情報を受信したタイミングで、処理がステップＳ２２に進む。
【００７０】
ステップＳ２２では、有線ＬＡＮ通信制御部９２が、有線ＬＡＮ通信部７５を通信制御して、腕時計型端末１から受信した生体情報をサーバ装置４に転送する。サーバ装置４は、後述するように図１２に示す記憶制御部１１０が記憶部に記憶されている生体ＤＢに、ＭＦＰ２から転送されて生体情報を記憶制御する。これにより、サーバ装置４の生体ＤＢには、図８を用いて説明したように、各ユーザの生体情報の履歴が形成されることとなる。なお、サーバ装置４の生体ＤＢには、図９を用いて説明した各ユーザのユーザ情報も記憶されていることは、上述のとおりである。
【００７１】
また、サーバ装置４は、解析部１２２で生体情報の解析を行い、有線ＬＡＮ通信制御部１２１が、解析結果となるヘルスチェック結果をＭＦＰ２に送信する。なお、解析部１２２は、ユーザの生体情報を健康体の生体情報と比較し、また、上述の平均値と比較した結果、異常値を検出した場合、ヘルスチェック結果に、異常の度合い（大中小）を示す情報を付加してＭＦＰ２に送信する。図１３のステップＳ２３では、ＭＦＰ２の有線ＬＡＮ通信制御部９２が、有線ＬＡＮ通信部７５を介してサーバ装置４からの解析結果であるヘルスチェック結果を受信する。
【００７２】
ステップＳ２４では、図５に示すＭＦＰ２の表示制御部９３が、ヘルスチェック結果に異常の度合いを示す情報が付加されているか否かを判別することで、ヘルスチェック結果に異常値が存在するか否かを判別する。異常値が存在する場合（ステップＳ２４：Ｙｅｓ）、表示制御部９３は、ステップＳ２５において、ヘルスチェック結果を上述のタイミングでタッチパネルに表示する際に、異常の度合い（大中小）に応じた表示形態の表示を行い、図１３のフローチャートの全処理を終了する。
【００７３】
これに対して、異常値が存在しない場合（ステップＳ２４：Ｎｏ）、表示制御部９３は、ステップＳ２６において、ヘルスチェック結果と共に健康状態は正常（良好）であることを示す通知を行い、図１３のフローチャートの全処理を終了する。
【００７４】
（サーバ装置の動作）
次に、図１４のフローチャートを用いて、サーバ装置４の動作を説明する。まず、ステップＳ３１では、図１２に示すサーバ装置４の有線ＬＡＮ通信制御部１２１が、図１１に示す有線ＬＡＮ通信部１１３を介して、ＭＦＰ２から生体情報を受信したか否かを判別する。ＭＦＰ２から生体情報を受信すると、処理がステップＳ３２に進む。
【００７５】
ステップＳ３２では、図１２に示す解析部１２２が、ＭＦＰ２から受信した生体情報と健康体の生体情報とを比較処理する等の、上述のヘルスチェック（解析処理）を行う。ステップＳ３３では、記憶制御部１２３が、ヘルスチェック結果（解析結果）を記憶部に記憶する。また、有線ＬＡＮ通信制御部１２１が、有線ＬＡＮ通信部１１３を介して、ヘルスチェック結果（解析結果）をＭＦＰ２に送信する。このヘルスチェック結果としては、血圧値、心拍数、ストレスの有無、将来的に発病が予測される病気等の情報が含まれることは、上述のとおりである。
【００７６】
ＭＦＰ２は、サーバ装置４から受信したヘルスチェック結果を、例えばフラッシュメモリ６２等の記憶部に記憶する。そして、ＭＦＰ２は、ユーザがＭＦＰ２にログインしたタイミング等の所定のタイミングで、タッチパネル８２等を介してユーザに表示する。または、ＭＦＰ２は、有線ＬＡＮ等のネットワークを介して管理者等にヘルスチェック結果を提供する。
【００７７】
なお、ＭＦＰ２は、サーバ装置４から受信したヘルスチェック結果を、記憶部に対して一時的に記憶してもよいし、又は、記憶部に設けた上述の生体ＤＢに長期的に記憶してもよい。
【００７８】
（第２の実施の形態の効果）
このような第２の実施の形態の情報処理システムは、生体情報の解析処理をサーバ装置４が行う。このため、ＭＦＰ２の解析処理の負担を大幅に軽減できる他、上述の第１の実施の形態と同じ効果を得ることができる。
【００７９】
（第３の実施の形態）
次に、第３の実施の形態の情報処理システムの説明をする。上述の各実施の形態は、１日１回、生体情報の計測を行ってヘルスチェック結果を提供する例であった。これに対して、第３の実施の形態の情報処理システムは、例えば１０分又は１時間等のように所定の時間毎に生体情報の計測を行い、所定のタイミングでヘルスチェック結果を提供する例である。なお、上述の各実施の形態と第３の実施の形態とでは、この点のみが異なる。このため、以下、両者の差異の説明のみ行い、重複説明は省略する。
【００８０】
（第３の実施の形態の構成及び動作）
この第３の実施の形態の情報処理システムの場合、腕時計型端末１は、例えば１０分又は１時間等のように所定の時間毎に生体情報の計測を行いＭＦＰ２に送信する。ＭＦＰ２又はサーバ装置４（ＭＦＰ２からサーバ装置４に生体情報を転送する場合）は、転送された生体情報を、順次、生体ＤＢに記憶する。なお、以下、ＭＦＰ２に生体ＤＢが設けられていることとして説明を進める。サーバ装置４に生体ＤＢが設けられている場合も、同様の動作となるため、以下の説明を参照されたい。
【００８１】
図１５は、生体ＤＢに記憶される生体情報の一例を示している。ＭＦＰ２は、所定時間毎に腕時計型端末１から送信される生体情報を生体ＤＢに記憶することで、生体ＤＢに生体情報の履歴がユーザ毎に形成される。図１５の例は、ユーザＡの２０１７年１月１０日の午前９時００分から午後１９時０５分までの間の生体情報が記憶された例である。
【００８２】
また、図１５の例は、ユーザＢの２０１７年１月１０日の午前９時３０分から午後１６時１５分までの間の生体情報が記憶された例である。この例に示すように、生体情報としては、計測時刻毎に、最低血圧値、最高血圧値、心拍数、及び、上述のように血圧値及び心拍数に基づいて検出されたストレスの有無を示す情報が生体ＤＢに記憶される。
【００８３】
ＭＦＰ２の解析部９４は、生体ＤＢに記憶されたユーザ毎の各最低血圧値のうち、最も計測回数が多い最低血圧値を基本最低血圧値として検出し、記憶制御部９６が、生体ＤＢに記憶制御する。同様に、解析部９４は、ユーザ毎の各最高血圧値のうち、最も計測回数が多い最高血圧値を基本最高血圧値として検出し、記憶制御部９６が、生体ＤＢに記憶制御する。同様に、解析部９４は、ユーザ毎の各心拍数のうち、最も計測回数が多い心拍数を基本心拍数として検出し、記憶制御部９６が、生体ＤＢに記憶制御する。
【００８４】
このような基本最低血圧値、基本最高血圧値及び基本心拍数は、各ユーザの生体情報の一部として、図１６に示すように生体ＤＢに記憶される。図１６の例の場合、ユーザＡの基本最低血圧値（下）として７１ｍＨｇの値が、基本最高血圧値（上）として１１２ｍＨｇの値が、基本心拍数として、６１回の値が、それぞれ生体ＤＢに記憶されている。
【００８５】
また、この第３の実施の形態の情報処理システムの場合、血圧及び心拍数の異常を判断するための閾値は、ユーザ、管理者又はヘルスケア有識者等が任意で設定可能となっている。また、この第３の実施の形態の情報処理システムの場合、異常警告を行うまでの異常血圧値又は異常心拍数の検出回数（警告開始回数）を設定可能となっている。さらに、この第３の実施の形態の情報処理システムの場合、異常血圧値又は異常心拍数が設定回数以上検出された際に行う異常警告のタイミングを設定可能となっている。
【００８６】
具体的には、図１６に示すユーザＡの場合、基本心拍数の＋２０％以上の心拍数及び基本心拍数の−２０％以下の心拍数を異常心拍数として検出するように設定されている（基本心拍数の±２０％）。また、ユーザＡの場合、基本最高血圧の＋２０％以上の最高血圧値及び基本最高血圧値の−２０％以下の最高血圧値を異常最高血圧値として検出するように設定されている（基本最高血圧値の±２０％）。また、ユーザＡの場合、基本最低血圧の＋１０％以上の最低血圧値及び基本最低血圧値の−１０％以下の最低血圧値を異常最低血圧値として検出するように設定されている（基本最低血圧値の±１０％）。そして、このような異常心拍数又は異常血圧値が「３０回」以上計測された際に、ユーザＡの「退社時刻」のタイミングで、異常心拍数の発生を警告するように設定されている。
【００８７】
従って、ユーザＡの場合、表示制御部９３は、異常心拍数、異常最高血圧値及び異常最低血圧値のうち、いずれか一つ又は複数が３０回以上計測された際に、ユーザＡが退社するタイミングで、異常値の発生が計測されたことを示す警告メッセージ等をタッチパネル８２に表示する。同様に、図１６に示すユーザＢの場合、表示制御部９３は、異常心拍数、異常最高血圧値及び異常最低血圧値のうち、いずれか一つ又は複数が１０回以上計測された際に、午後３時となったタイミングで、異常値の発生が計測されたことを示す警告メッセージ等をタッチパネル８２に表示する。
【００８８】
なお、表示制御部９３は、タッチパネル８２に対する警告メッセージ等の表示を以下のように行う。ユーザＡの場合、出社時刻に自分のＩＣカード１００でＭＦＰ２にログインし、退社時刻に自分のＩＣカード１００でＭＦＰ２からログアウトする。このログアウト操作を検出した際に、表示制御部９３は、警告メッセージ等をタッチパネル８２に表示する。これにより、ユーザＡがＭＦＰ２の近くに居る際に、警告メッセージ等を表示することができる。または、タッチパネル８２にソフトウェアキーとして退社ボタン又はＭＦＰ２にハードウェアキーとして退社ボタンを設け、退社ボタンが操作された際に、表示制御部９３は、警告メッセージ等をタッチパネル８２に表示する。これにより、ユーザＡがＭＦＰ２の近くに居る際に、警告メッセージ等を表示することができる。
【００８９】
また、警告メッセージ等の表示タイミングを「午後３時」と指定しているユーザＢの場合、午後３時となった際にユーザＢは、ＭＦＰ２の前に移動する。表示制御部９３は、午後３時を検知したタイミングで、警告メッセージ等をタッチパネル８２に表示する。これにより、ユーザＢがＭＦＰ２の前に移動したタイミングで、警告メッセージ等をタッチパネル８２に表示することができる。或いは、午後３時となった際にユーザＢは、ＭＦＰ２の前に移動し自分のＩＣカード１００でログイン操作を行う。表示制御部９３は、午後３時前後（例えば午後２時５０分〜午後３時１０分の間等）に、ユーザＢのログインが検出された場合に、警告メッセージ等をタッチパネル８２に表示する。これにより、ユーザＢにより指定された時刻及びユーザＢがＭＦＰ２の近くに居る際に、警告メッセージ等の表示を行うことができる。
【００９０】
（第３の実施の形態の効果）
このように第３の実施の形態の情報処理システムは、所定の時間毎に生体情報の計測を行い、所定のタイミングでヘルスチェック結果を提供することができる。これにより、より詳細に生体情報を解析して生成したヘルスチェック結果を、ユーザが希望するタイミングで安全に提供できる他、上述の各実施の形態と同様の効果を得ることができる。
【００９１】
（第４の実施の形態）
次に、第４の実施の形態の情報処理システムの説明をする。上述の第１の実施の形態において、年齢及び身体的特徴が近いユーザが発症した経験のある病気の予防を促すメッセージを、生体情報の計測を行ったユーザに対してヘルスチェック結果と共に提供する例を説明した。このような第１の実施の形態の変形例に相当するのが、以下に説明する第４の実施の形態である。なお、重複説明を避けるため、以下の第４の実施の形態の説明は、上述の各実施の形態に対する差異の説明のみ行う。
【００９２】
（第４の実施の形態の動作）
図１７に、第４の実施の形態の情報処理システムのＭＦＰ２（又はサーバ装置４）の生体ＤＢに記憶されているユーザ情報の一例を示す。この図１７の例の場合、ユーザＩＤが１２３４５のＡさんは、年齢が４０歳、性別が男性、身長が１８０ｃｍ、体重が７０ｋｇであり、１日に１００回の心拍異常回数が検出され、また、１日の１０回の血圧異常回数が検出されている。そして、Ａさんは、過去に病気Ａ及び病気Ｂを患った経験がある。同様に、ユーザＩＤが５４３２１のＢさんは、年齢が３５歳、性別が男性、身長が１７０ｃｍ、体重が８５ｋｇであり、１日に１００回の心拍異常回数が検出され、また、１日の１５回の血圧異常回数が検出されている。そして、Ｂさんは、過去に病気Ａ及び病気Ｃを患った経験がある。
【００９３】
第４の実施の形態の場合、ＭＦＰ２の解析部９４（又はサーバ装置４の解析部１２２）は、生体ＤＢに記憶されている各ユーザのユーザ情報に基づいて、各病気及び各パラメータの組み合わせ情報を形成する。すなわち、図１７の例の場合、解析部９４は、Ａさんのユーザ情報に基づいて、［年齢４０歳，病気Ａ］、［性別男，病気Ａ］、［身長１８０ｃｍ，病気Ａ］、［体重７０ｋｇ，病気Ａ］、［心拍異常回数１００回，病気Ａ］、［血圧異常回数１０回，病気Ａ］との組み合わせ情報を形成する。また、図１７の例の場合、解析部９４は、Ａさんのユーザ情報に基づいて、［年齢４０歳，病気Ｂ］、［性別男，病気Ｂ］、［身長１８０ｃｍ，病気Ｂ］、［体重７０ｋｇ，病気Ｂ］、［心拍異常回数１００回，病気Ｂ］、［血圧異常回数１０回，病気Ｂ］との組み合わせ情報を形成する。
【００９４】
また、図１７の例の場合、解析部９４は、Ｂさんのユーザ情報に基づいて、［年齢３５歳，病気Ａ］、［性別男，病気Ａ］、［身長１７０ｃｍ，病気Ａ］、［体重８５ｋｇ，病気Ａ］、［心拍異常回数１００回，病気Ａ］、［血圧異常回数１５回，病気Ａ］との組み合わせ情報を形成する。また、図１７の例の場合、解析部９４は、Ｂさんのユーザ情報に基づいて、［年齢３５歳，病気Ｃ］、［性別男，病気Ｃ］、［身長１７０ｃｍ，病気Ｃ］、［体重８５ｋｇ，病気Ｃ］、［心拍異常回数１００回，病気Ｃ］、［血圧異常回数１５回，病気Ｃ］との組み合わせ情報を形成する。
【００９５】
次に、解析部９４は、数が多い順に、各組み合わせの組み合わせ情報を検出する。上述の例の場合、［心拍異常回数１００回，病気Ａ］の組み合わせ情報が、最も数が多い組み合わせの組み合わせ情報として検出され、続いて数が多い組み合わせの組み合わせ情報として、［性別男，病気Ａ］の組み合わせの組み合わせ情報が検出される。
【００９６】
ここで、このような組み合わせ情報の検出結果は、ユーザＡ及びユーザＢの２名のユーザ情報に基づく検出結果であるが、さらに多くのユーザのユーザ情報に基づいて、各組み合わせの組み合わせ情報を検出すると、［心拍異常回数１００回，病気Ａ］の組み合わせの他、例えば［心拍異常回数１０１回，病気Ａ］及び［心拍異常回数１１０回，病気Ａ］等の組み合わせの組み合わせ情報も検出される。
【００９７】
解析部９４は、このような検出結果を統計的に判断することで、病気の要因と、患う病気を特定する。図１７の例の場合、最も多い組み合わせが［心拍異常回数１００回，病気Ａ］であるため、解析部９４は、「心拍異常回数が多いと、病気Ａに罹りやすい」と判断し、心拍異常回数が多いユーザが罹りやすい病気は病気Ａであることを示す情報を表示制御部９３に通知する。表示制御部９３は、解析部９４から通知された病気を示す情報を、生体情報の測定を行ったユーザに対してヘルスチェック結果と共に提供する。または、表示制御部９３は、解析部９４から通知された病気の予防を促すメッセージ等を生成し、生体情報の測定を行ったユーザに対してヘルスチェック結果と共に提供する。
【００９８】
（第４の実施の形態の効果）
これにより、ユーザに対して、将来的に罹りやすい病気の予防を促すことができる他、上述の各実施の形態と同様の効果を得ることができる。
【００９９】
（第５の実施の形態）
次に、第５の実施の形態の情報処理システムの説明をする。上述の各実施の形態の説明では、ヘルスチェック結果を主にＭＦＰ２のタッチパネル８２に表示することとした。この第５の実施の形態は、サーバ装置が、腕時計型端末１から収集した生体情報に基づいて生成したヘルスチェック結果を、ＭＦＰ２を介してユーザの腕時計型端末１に送信して表示する例である。なお、重複説明を避けるため、以下の第５の実施の形態の説明は、上述の各実施の形態に対する差異の説明のみ行う。
【０１００】
（第５の実施の形態の動作）
（ヘルスチェック結果の生成動作）
図１８に、第５の実施の形態の情報処理システムのシーケンス図を示す。この図１８のシーケンス図において、ステップＳ４１〜ステップＳ４６は、サーバ装置４が、収集したユーザの生体情報に基づいてヘルスチェック結果を生成して保存するまでの動作を示している。
【０１０１】
具体的には、ユーザの腕時計型端末１は、ステップＳ４１において、生体情報を定期的又はランダムな時刻に収集する。一例ではあるが、この生体情報の収集は、腕時計型端末１及びＭＦＰ２の間のＢＬＴ通信回線を常時確立しておく。そして、腕時計型端末１がＭＦＰ２付近に位置した際に、ＭＦＰ２が腕時計型端末１に対して生体情報の送信要求を行う。腕時計型端末１の第１の通信制御部５０及び第１の通信部１４は、ステップＳ４２において、ＢＬＥ通信により、ユーザＩＤ等と共に生体情報をＭＦＰ２に送信する。ＭＦＰ２は、ステップＳ４３において、腕時計型端末１からＢＬＥ通信で送信された生体情報及びユーザＩＤ等を、例えばフラッシュメモリ６２又はＨＤＤ７４等の記憶部に記憶する。
【０１０２】
なお、ＢＬＴ通信回線は、所定時間毎、又は、ランダムに確立してもよい。換言すれば、腕時計型端末１及びＭＦＰ２は、ＢＬＴ通信回線等の所定の通信回線により、連続的（常時）に接続する他、断続的に接続してもよい。また、ＭＦＰ２からの送信要求に応じて、腕時計型端末１が、生体情報をＭＦＰ２に送信することとしたが、腕時計型端末１がＭＦＰ２付近に位置した際に、腕時計型端末１から自発的にＭＦＰ２に生体情報等を送信してもよい。
【０１０３】
また、プリント処理時又はスキャン処理時等において、腕時計型端末１でＭＦＰ２のリーダライタ８９にタッチ操作することで、ユーザＩＤ等の認証情報をＭＦＰ２に送信し、ユーザ認証が成功した際（後）に、その認証成功のレスポンスを受信した腕時計型端末１が生体情報をＭＦＰ２に自動送信してもよい。
【０１０４】
ＭＦＰ２の例えば有線ＬＡＮ通信部７５及び有線ＬＡＮ通信制御部９２は、このように記憶部に記憶したユーザの生体情報を、ステップＳ４４において、定期的又はランダムな時刻に、ユーザＩＤ（社員番号）等と共にサーバ装置１１に送信する。なお、ＭＦＰ２は、サーバ装置４に対して、有線ＬＡＮの他、例えば無線ＬＡＮ又はＷｉ−Ｆｉ（登録商標）通信等の他の通信形態で送信してもよい。
【０１０５】
サーバ装置４の解析部１２２は、受信した生体情報を、サンプルとなる正常値を示す生体情報に照合し、記憶制御部１２３は、この照合結果をヘルスチェック結果としてメインメモリ１１１に記憶制御する。このように腕時計型端末１で収集された生体情報は、上述のタイミングでサーバ装置４に蓄積される。
【０１０６】
次に、この第５の実施の形態の情報処理システムの場合、腕時計型端末１は、図１８に示すように例えば通信距離が３０ｃｍ程度の非接触無線通信部である第３の通信部１３１を備えている。一例ではあるが、非接触無線通信部としてＮＦＣ（Near  Field  Communication）等を用いることができる。
【０１０７】
また、この第５の実施の形態の情報処理システムの場合、ＭＦＰ２の表示制御部９３は、図１９に示すように「社員証やウェアラブルデバイスをタッチしてください」等の、リーダライタ８９に対するタッチ操作を促すメッセージを表示した表示画面をデフォルト画面Ｇ１としてタッチ操作パネル８２に表示している。
【０１０８】
ユーザは、例えば出勤時及び退社時に、ステップＳ４７に示すようにＩＣカード１００又は腕時計型端末１でＭＦＰ２のリーダライタ８９をタッチ操作する。このタッチ操作がされると、リーダライタ８９は、ＩＣカード１００又は腕時計型端末１と非接触無線通信を行うことで、ユーザＩＤ（社員番号）等の情報を読み出し、ステップＳ４８に示すように出勤時刻又は退勤時刻と共にメインメモリ６１等の記憶部に記憶する。
【０１０９】
（健康状態が正常の場合）
次に、ステップＳ４９において、ＭＦＰ２の有線ＬＡＮ通信制御部９２は、ＩＣカード１００又は腕時計型端末１から取得したユーザＩＤ（社員番号）をサーバ装置４に送信すると共に、ヘルスチェック結果の取得要求を行う。サーバ装置４の記憶制御部１２３は、ＭＦＰ２から受信したユーザＩＤ（社員番号）に対応するヘルスチェック結果を記憶部から読み出す。サーバ装置４の有線ＬＡＮ通信部１２１は、記憶部から読み出されたヘルスチェック結果を、ステップＳ５０においてＭＦＰ２に送信する。ＭＦＰ２は、サーバ装置４から受信したヘルスチェック結果を、ステップＳ５１において、例えば第１の通信部７７を介して腕時計型端末１にＢＬＥ送信する。
【０１１０】
一例ではあるが、サーバ装置４からＭＦＰ２に送信されるヘルスチェック結果には、健康状態の正常又は異常を示す健康状態情報が付加されている。腕時計型端末１の表示制御部５３は、ヘルスチェック結果に付加されている健康状態情報に基づいて、ユーザの健康状態（正常又は異常）を判別する。そして、ユーザの健康状態が正常であると判別した場合、腕時計型端末１の表示制御部５３は、図１９の表示画像Ｇ２に示すように、ユーザＩＤ（社員番号）、名前、ステータス（出勤、退勤、休暇等）、出勤時間、及び、健康状態（この場合は、正常）を示す各種情報を、表示部１８に表示制御する。
【０１１１】
（健康状態が異常の場合）
これに対して、ユーザの健康状態が異常であると判別した場合、腕時計型端末１の表示制御部５３は、図１９の表示画像Ｇ３に示すように、ユーザＩＤ（社員番号）、名前、ステータス（出勤、退勤、休暇等）、出勤時間と共に、健康状態を示す情報として「異常」の文字を表示部１８に表示制御する。
【０１１２】
この第５の実施の形態の場合、各ユーザは、連絡先となる所望の電子メールアドレスを事前に登録するようになっている。この電子メールアドレスは、ＭＦＰ２のＨＤＤ７４等の記憶部、及び（又は）、腕時計型端末１のメインメモリ１２等の記憶部に記憶されている。なお、サーバ装置４のメインメモリ１１１等の記憶部に電子メールアドレスを記憶しておき、「異常」のヘルスチェック結果を送信する際等に、有線ＬＡＮ通信制御部１２１がＭＦＰ２、又は（及び）、腕時計型端末１に送信してもよい。
【０１１３】
腕時計型端末１の第２の通信制御部５２（解析結果通知部の一例）は、ステップＳ５２において、メインメモリ１２等の記憶部に記憶されている電子メールアドレス宛てに、ヘルスチェック結果に含まれる健康状態の詳細情報を、ＷｉＦｉ通信を用いて送信する。これにより、登録されている電子メールアドレスに従って、ヘルスチェックの詳細情報が、例えばユーザのパーソナルコンピュータ装置、携帯端末装置、ＭＦＰ２、又は、腕時計型端末１等に送信される。
【０１１４】
（ＩＣカードでタッチ操作が行われた場合）
次に、この第５の実施の形態の場合、上述のステップＳ４７において、ＭＦＰ２のリーダライタ８９が、例えば社員証等のＩＣカード１００でタッチ操作されると、ＭＦＰ２の第１の通信制御部９０は、ステップＳ５３において、腕時計型端末の広告情報を腕時計型端末１に、ＢＬＥ通信で送信する。
【０１１５】
この広告情報には、広告の詳細情報の表示を指定するための詳細ボタンの情報が含まれている。腕時計型端末１の表示制御部５３は、ＭＦＰ２から受信した広告情報に基づいて、例えば図１９の表示画像Ｇ４に示すように、腕時計型端末の広告画像及び詳細ボタン１５０を表示部１８に表示制御する。ユーザは、表示された広告の詳細を知りたい場合、詳細ボタン１５０を操作する。腕時計型端末１の操作処理部５４は、ステップＳ５４において、ユーザによる詳細ボタン１５０の操作を検出する。表示制御部５３は、詳細ボタン１５０の操作が検出されると、ステップＳ１５５において、ＭＦＰ２から受信した広告情報の詳細情報を表示部１８に表示する。
【０１１６】
なお、この例では、ＩＣカード１００でタッチ操作された場合、ＭＦＰ２は、ユーザの腕時計型端末１に広告情報を表示することとしたが、この他、ＭＦＰ２は、タッチパネル８２に広告情報を表示してもよいし、パーソナルコンピュータ装置又は携帯端末装置等の、ユーザの他の通信機器に広告情報を送信して表示してもよい。
【０１１７】
（タッチ操作ミスの場合）
次に、ステップＳ４７において、腕時計型端末１を用いて行った、ＭＦＰ２のリーダライタ８９に対するタッチ操作が、タッチ操作ミスであった場合、ＭＦＰ２の第１の通信制御部９０は、図１９に示すエラーメッセージ画像Ｇ５を、ステップＳ５６において、ＢＬＥ通信により、ユーザの腕時計型端末１に送信する。腕時計型端末１の表示制御部５３は、ＭＦＰ２からエラーメッセージ画像Ｇ５を受信すると、表示部１８に表示する。これにより、ユーザは、腕時計型端末１の表示部１８を見ることで、タッチ操作ミスが発生したことを認識して、再度、タッチ操作を行うこととなる。このようなエラーメッセージ画像Ｇ５の表示と共に、電子音又は音声でユーザにタッチ操作ミスを知らせてもよい。
【０１１８】
なお、ＩＣカード１００でタッチ操作ミスが行われた場合、ＭＦＰ２の表示制御部９３は、上述のエラーメッセージ画像Ｇ５を、ＭＦＰ２のタッチパネル８２に表示制御する。これにより、ユーザは、ＭＦＰ２のタッチパネル８２を見ることで、タッチ操作ミスが発生したことを認識して、再度、タッチ操作を行うこととなる。この場合も、エラーメッセージ画像Ｇ５の表示と共に、電子音又は音声でユーザにタッチ操作ミスを知らせてもよい。
【０１１９】
（第５の実施の形態の効果）
以上の説明から明らかなように、第５の実施の形態の情報処理システムは、腕時計型端末１とＭＦＰ２との間のＢＬＴ通信回線を常時確立しておき（所定の時間毎に確立してもよい）、腕時計型端末１とＭＦＰ２との間が所定の距離となった際に、ＭＦＰ２が、腕時計型端末１から自動的に生体情報を収集する。これにより、特別な操作及び設定を必要とすることなく、ＭＦＰ２で自動的に生体情報を収集してヘルスチェック結果を各ユーザに提供できる。また、ヘルスチェック結果を腕時計型端末１に表示することで、秘密性のある情報（ヘルスチェック結果）を、秘密性を保持した状態でユーザに提供できる他、上述の各実施の形態と同様の効果を得ることができる。
【０１２０】
なお、上述の第５の実施の形態の説明では、図１９に示したメッセージ又はヘルスチェック結果等の各画像Ｇ１〜Ｇ５を、主に腕時計型端末１に表示することとしたが、ＭＦＰ２のタッチパネル８２に表示してもよい。
【０１２１】
（各実施の形態の変形例）
上述の各実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。
【０１２２】
すなわち、情報処理システムとしては、電子機器と携帯端末との間で情報の共有を図るシステムであれば、どのようなシステムでもよい。例えば、ＭＦＰの代わりにコピー装置又はスキャナ装置等の他の情報処理機器を用いてもよい。
【０１２３】
また、人間の生体情報を解析することとしたが、例えば首輪型の携帯端末等で、犬又は猫等の、人間以外の生物の生体情報を取得して電子機器に表示することで、人間以外の生物の健康管理等を行うようにしてもよい。
【０１２４】
また、上述のＣＰＵ１０及びＣＰＵ６０としては、ソフトウェアによって各機能を実行するようプログラムされたプロセッサ、及び、各機能を実行するよう設計されたＡＳＩＣ（Application  Specific  Integrated  Circuit）、ＩＣ（Integrated  Circuit）又は回路モジュールなどのハードウェアを含むものとする。
【０１２５】
また、上述の各実施の形態は、情報処理技術分野における通常の知識を有した技術者であれば、ＡＳＩＣ（Application  Specific  Integrated  Circuits）や、従来の回路モジュールを接続して構成した装置によって実施することが可能である。
【０１２６】
また、上述の各実施の形態に記載された各機能は、それぞれ、一又は複数の処理回路（Circuit）によって実現することが可能である。なお、ここで、本明細書における「処理回路」とは、ソフトウェアによって各機能を実行するようプログラムされたプロセッサ、各機能を実行するよう設計されたＡＳＩＣ及び回路モジュール等のハードウェアを含むものとする。
【０１２７】
また、携帯端末として腕時計型端末１を用いることとした。しかし、携帯端末としては、血圧値、脈拍数、歩行した歩数、運動量等の生体情報が検出できれば、例えば指輪型又は眼鏡型の携帯端末の他、スマートフォン、タブレット端末等を用いてもよい。また、携帯端末としては、上述の腕時計型端末１のように腕に装着するもの以外でも、頭又は胸等の体の所定の部位に装着するものでもよい。また、体の所定の部位に装着しなくても、例えば手に握るかたちのものでもよいし、衣服のポケット等に入れたままで動作するものでもよい。
【０１２８】
すなわち、携帯端末は、例えばＭＦＰ２に対して上述の近距離無線通信で通信可能な携帯通信端末としてのスマートフォン、タブレット端末、又はウェアラブルデバイス等のいわゆるスマート端末とも呼ばれるデバイスである。スマートフォンとは、携帯電話装置が備える通話機能のほか、カメラ装置による撮像機能、パーソナルコンピュータ装置のようなＷｅｂ情報表示機能など多機能を備える端末というのが典型である。また、タブレット端末とは、スマートフォンと同様に多機能端末として機能するタブレット型の端末というのが典型である。
【０１２９】
また、ウェアラブルデバイスとは、例えばユーザゴーグルのような頭部に装着され得るもの、時計のような手首に装着され得るもの、或いはネックストラップのような胸部等に装着され得るものが典型である。しかし、これに限らず、ウェアラブルデバイスは、ユーザが所持している、例えば帽子、ランドセル又はカバン等の物体に装着されるものでも良い。すなわち、上述の各実施の形態において「携帯」とは、ユーザの身体に直接的に装着される場合と、ユーザの身体に間接的に装着される場合との双方を含み得るものとする。
【０１３０】
このような実施の形態及び実施の形態の変形は、発明の範囲や要旨に含まれると共に、特許請求の範囲に記載された発明とその均等の範囲に含まれるものである。
【符号の説明】
【０１３１】
１  腕時計型端末
２  複合機（ＭＦＰ）
３  無線ＬＡＮのアクセスポイント装置
４  サーバ装置
９  操作部
１０  ＣＰＵ
１８  表示部
１９  生体測定部
３０  リム部
３２  耳掛け部
５１  測定制御部
５３  表示制御部
８２  タッチパネル
８９  リーダライタ
９３  表示制御部
９４  解析部
９５  ユーザ認証部
９５  記憶制御部
１００  ＩＣカード
１２２  解析部
１２３  記憶制御部
【先行技術文献】
【特許文献】
【０１３２】
【特許文献１】特開２００６−２４３９６９号公報
【図１】
2018156639.tif 000003
【図２】
2018156639.tif 000004
【図３】
2018156639.tif 000005
【図４】
2018156639.tif 000006
【図５】
2018156639.tif 000007
【図６】
2018156639.tif 000008
【図７】
2018156639.tif 000009
【図８】
2018156639.tif 000010
【図９】
2018156639.tif 000011
【図１０】
2018156639.tif 000012
【図１１】
2018156639.tif 000013
【図１２】
2018156639.tif 000014
【図１３】
2018156639.tif 000015
【図１４】
2018156639.tif 000016
【図１５】
2018156639.tif 000017
【図１６】
2018156639.tif 000018
【図１７】
2018156639.tif 000019
【図１８】
2018156639.tif 000020
【図１９】
2018156639.tif 000021
【図２０】
2018156639.tif 000022